(57)【要約】【課題】造泡機構を有する吐出容器で吐出した際に、緻密で豊富な泡が吐出でき、使い心地や視認性及び対象面への付着滞留性にも優れた洗浄剤組成物を提供する。【解決手段】（ａ）一般式（１）で表される特定の化合物、（ｂ）一般式（２）で表される特定の化合物、及び（ｃ）界面活性剤、を含有し、且つＢ型粘度計を用いて２０℃、回転数６０ｒｐｍ、６０ｓの条件で測定した粘度が５〜２１０ｍＰａ・ｓである洗浄剤組成物。【選択図】なし【特許請求の範囲】
【請求項１】
（ａ）下記一般式（１）で表される化合物、（ｂ）下記一般式（２）で表される化合物、及び（ｃ）界面活性剤、を含有し、且つＢ型粘度計を用いて２０℃、回転数６０ｒｐｍ、６０ｓの条件で測定した粘度が５〜２１０ｍＰａ・ｓである洗浄剤組成物。
Ｘ1−Ｏ（ＡＯ）n−Ｘ2              （１）
Ｘ2−Ｏ（ＡＯ）n−Ｘ2              （２）
〔式中、ＡＯは炭素数２〜４のアルキレンオキシ基、ｎはアルキレンオキシ基の平均付加モル数を示し、５〜１０００の数である。また、一般式（１）及び一般式（２）のＡＯの総モル数に対して５０モル％以上がエチレンオキシ基である。Ｘ1は水素原子又は炭素数１〜６のアルキル基であり、Ｘ2は、−ＳＯ3Ｈ、−ＣＨ2ＣＯＯＨ、あるいはこれらのアルカリ金属塩を示す。〕
【請求項２】
（ａ）成分／（ｂ）成分がモル比で１／１〜１／１０００である請求項１記載の洗浄剤組成物
【請求項３】
更に（ｄ）ベンゼン環を有するハイドロトロープ剤を含有する請求項１又は２記載の洗浄剤組成物。
【請求項４】
更に（ｅ）次亜塩素酸アルカリ金属塩、（ｆ）アルカリ金属の水酸化物を含有する請求項１〜３何れか記載の洗浄剤組成物。
【請求項５】
請求項１〜４何れか記載の洗浄剤組成物を収納する容器本体と、その容器本体内に収納された洗浄剤組成物を吐出させる造泡機構を有する吐出装置と、を備える洗浄剤製品。
【発明の詳細な説明】
【技術分野】
【０００１】
本発明は、造泡機構を有する吐出容器で吐出した際に、緻密で豊富な泡が吐出されることで得られる使い心地や視認性、及び対象面への付着滞留性のどちらにも優れた洗浄剤組成物に関する。
【背景技術】
【０００２】
従来、住居内における、台所、浴室、浴槽、配水管、トイレ等の硬質表面に付着した汚れの除去を目的として、界面活性剤を主成分とする洗浄剤組成物や、次亜塩素酸アルカリ金属塩を主成分とする漂白洗浄剤組成物が広く使用されている。上記の如き洗浄剤組成物は、適用される硬質表面が水平面に限らず垂直面、傾斜面など、様々であることから、いかなる表面に適用された場合にも優れた洗浄／漂白性能を発揮させるために、対象となる汚れへの付着滞留性が要求されている。このような要求に応えるべく、種々の方法による組成物の付着滞留性の向上が試みられている。例えば、特許文献１には組成物に粘性を付与することで付着滞留性を高めた洗浄剤製品が開示されている。特許文献２にはチキソトロピー性を有する比較的高粘度の洗浄剤をスプレーヤーを用いて適度な粗さの泡状に噴霧することで、対象物が網目構造体であっても網目を通過することなく対象物の表面を均一に覆うように付着し、優れた付着滞留性を発揮することが可能な洗浄剤及び洗浄剤製品が開示されている。また、特許文献３では特定の重合体を含有する貯蔵安定性に優れた漂白剤組成物が開示されている。
【特許文献１】特開２００３−４１３００
【特許文献２】特開２００３−２５３２９７
【特許文献３】特開平７−３０５０９９
【発明の開示】
【発明が解決しようとする課題】
【０００３】
特許文献１記載の洗浄剤製品は、組成物の付着滞留性は高まるが、トリガー式のスプレーヤーで噴霧しても泡にならず、使い心地や視認性に劣る。特許文献２記載の洗浄剤及び洗浄剤製品は、洗浄剤の付着滞留性は高まるが、粗い泡のため視認性や使い心地に劣る。また、特許文献３記載の漂白剤組成物は、次亜塩素酸アルカリ金属塩の貯蔵安定性には優れるが、トリガー式スプレーヤーで噴霧した際の状態についての記載はなく、特徴的な泡特性についても具体的に示唆されていない。
【０００４】
すなわち、造泡機構を有する吐出容器で吐出した際に、緻密で豊富な泡が吐出でき、使い心地や視認性及び対象面への付着滞留性にも優れた洗浄剤組成物が求められている。
【課題を解決するための手段】
【０００５】
本発明は、（ａ）下記一般式（１）で表される化合物、（ｂ）下記一般式（２）で表される化合物、及び（ｃ）界面活性剤、を含有し、且つＢ型粘度計を用いて２０℃、回転数６０ｒｐｍ、６０ｓの条件で測定した粘度が５〜２１０ｍＰａ・ｓである洗浄剤組成物に関する。
Ｘ1−Ｏ（ＡＯ）n−Ｘ2              （１）
Ｘ2−Ｏ（ＡＯ）n−Ｘ2              （２）
〔式中、ＡＯは炭素数２〜４のアルキレンオキシ基、ｎはアルキレンオキシ基の平均付加モル数を示し、５〜１０００の数である。また、一般式（１）及び一般式（２）のＡＯの総モル数に対して５０モル％以上がエチレンオキシ基である。Ｘ1は水素原子又は炭素数１〜６のアルキル基であり、Ｘ2は、−ＳＯ3Ｈ、−ＣＨ2ＣＯＯＨ、あるいはこれらのアルカリ金属塩を示す。〕
【０００６】
また、本発明は、上記本発明の洗浄剤組成物を収納する容器本体と、その容器本体内に収納された洗浄剤組成物を吐出させる造泡機構を有する吐出装置と、を備える洗浄剤製品に関する。
【発明の効果】
【０００７】
本発明によれば、造泡機構を有する吐出容器で吐出した際に、緻密で豊富な泡が吐出でき、使い心地や視認性及び対象面への付着滞留性にも優れた洗浄剤組成物が得られる。
【発明を実施するための最良の形態】
【０００８】
本発明の洗浄剤組成物は、粘性を付与した組成物をトリガー等の吐出容器を用いて吐出した際に、造泡させることを目的として、（ａ）下記一般式（１）〔以下、（ａ）成分と記載する〕で表される化合物、（ｂ）下記一般式（２）〔以下、（ｂ）成分と記載する〕で表される化合物を含有している。
Ｘ1−Ｏ（ＡＯ）n−Ｘ2              （１）
Ｘ2−Ｏ（ＡＯ）n−Ｘ2              （２）
〔式中、ＡＯは炭素数２〜４のアルキレンオキシ基、ｎはアルキレンオキシ基の平均付加モル数を示し、５〜１０００の数である。また、一般式（１）及び一般式（２）のＡＯの総モル数に対して５０モル％以上がエチレンオキシ基である。Ｘ1は水素原子又は炭素数１〜６のアルキル基であり、Ｘ2は、−ＳＯ3Ｈ、−ＣＨ2ＣＯＯＨ、あるいはこれらのアルカリ金属塩を示す。〕
【０００９】
上記一般式（１）、及び（２）で表される化合物のＡＯは炭素数２〜４のアルキレンオキシ基を示し、具体的にはエチレンオキシ基、プロピレンオキシ基等が挙げられるが、一般式（１）及び（２）のＡＯの総モル数に対して５０モル％以上、好ましくは６０モル％以上、より好ましくは７０モル％以上がエチレンオキシ基である。ｎはアルキレンオキシ基の平均付加モル数を示し、５〜１０００の数であり、１０〜１００が更に好ましく、１０〜４０が特に好ましい。アルキレンオキシ基の平均付加モル数が５以上では良好な起泡力と付着滞留性が得られ、また１０００以下では組成物の白濁を抑制できる等、良好な組成物の安定性が得られる。Ｘ1は水素原子又は炭素数１〜６のアルキル基であり、Ｘ2は、−ＳＯ3Ｈ、−ＣＨ2ＣＯＯＨ、あるいはこれらのアルカリ金属塩を示す。（ａ）成分及び（ｂ）成分の比率としては、（ａ）成分／（ｂ）成分がモル比で１／１〜１／１０００が好ましく、２／３〜１／１００が更に好ましく、３／７〜１／９が特に好ましい。（ａ）成分及び（ｂ）成分はそれぞれの単品を用いて、あるいは予め混合した混合品を用いて、製品中の（ａ）成分と（ｂ）成分の比率が上記比率になるように調整できる。また、（ａ）成分及び（ｂ）成分は、例えば溶媒中でポリエチレングリコールに無水硫酸を反応させ、水酸化ナトリウムで中和することで得られるが、このような合成をおこなう過程でポリエチレングリコールと無水硫酸のモル比を変化させて得られた（ａ）成分及び（ｂ）成分の混合品を用いて製品中の（ａ）成分と（ｂ）成分の比率が上記比率になるように調整することもできる。
【００１０】
本発明の洗浄剤組成物中における（ａ）成分及び（ｂ）成分は合計で、０．０５〜３．０質量％含有することが好ましく、０．０５〜２．０質量％が更に好ましく、０．０５〜１．０質量％が特に好ましい。（ａ）成分及び（ｂ）成分の総含有量が０．０５質量％以上では良好な起泡力が得られ、３．０質量％以下では良好な次亜塩素酸アルカリ金属塩の安定性が得られる。
【００１１】
本発明の洗浄剤組成物に使用される（ｃ）界面活性剤としては特に制限されないが、下記成分（Ｉ）〔以下、（Ｉ）成分と記載する〕及び（ＩＩ）〔以下、（ＩＩ）成分と記載する〕からなる群から選ばれる１種又は２種以上の界面活性剤を使用することが好ましい。また、（Ｉ）及び（ＩＩ）成分を混合して用いた場合は、それらのコンプレックスが形成され低濃度で目的の粘度が得られるため、配合コストや安定性の点で更に好ましい。
【００１２】
（Ｉ）下記一般式（２）、（３）、（４）、（５）及び（６）で表される化合物からなる群から選ばれる１種又は２種以上。
Ｒ1ＳＯ3Ｍ                    （２）
Ｒ2Ｃ6Ｈ4ＳＯ3Ｍ              （３）
Ｒ3Ｏ（ＡＯ）mＳＯ3Ｍ          （４）
Ｒ4ＣＯＯＭ                    （５）
Ｒ5Ｏ（ＡＯ）nＲ6ＣＯＯＭ      （６）
（式中、Ｒ1、Ｒ2、Ｒ3、Ｒ4及びＲ5はそれぞれ炭素数６〜２２の直鎖又は分岐鎖のアルキル基を示す。Ａは炭素数１〜４の直鎖又は分岐鎖のアルキレン基の１種又は２種以上を示し、Ｒ6は炭素数１〜４のアルキレン基を示す。ｍ及びｎは、平均付加モル数であり、それぞれ０〜１００の数を示し、Ｍは水素原子、アルカリ金属原子又はアルカリ土類金属原子を示す。）
【００１３】
（ＩＩ）下記の一般式（７）で表される第３級アミンオキシド。
Ｒ7Ｒ8Ｒ9Ｎ→Ｏ              （７）
（式中、Ｒ7は炭素数８〜２０の直鎖又は分岐のアルキル基を示し、Ｒ8、Ｒ9は炭素数１〜３の直鎖又は分岐のアルキル基を示す。）
【００１４】
上記成分（Ｉ）における化合物の具体例を以下に示す。上記一般式（２）で表されるアルカンスルホネート（炭素数６〜２２の直鎖又は分岐鎖のアルカンスルホネート）としては、ドデシルスルホン酸ナトリウム等が挙げられるが、通常、安価に入手可能な炭素数１０〜１４程度のアルキル基を有するアルカンスルホン酸塩（特にナトリウム塩）、又はそれらの混合物が用いられる。
【００１５】
上記一般式（３）で表されるアルキルベンゼンスルホン酸又はその塩（炭素数６〜２２の直鎖又は分岐鎖のアルキル基を有するもの）としては、ドデシルベンゼンスルホン酸ナトリウム等が挙げられるが、通常、安価に入手可能な炭素数１０〜１４程度のアルキル基を有するアルキルベンゼンスルホン酸塩（特にナトリウム塩）、又はそれらの混合物が用いられる。
【００１６】
上記一般式（４）で表されるポリオキシアルキレンアルキルエーテル硫酸エステル又はその塩（炭素数６〜２２の直鎖又は分岐鎖のアルキル基を有するもの）としては、Ｒ3が炭素数６〜２２のアルキル基が好ましく、８〜１８が更に好ましく、１０〜１４が特に好ましい。Ａはエチレン基、プロピレン基又はブチレン基が好ましく、エチレン基が更に好ましい。ｍは平均付加モル数を示し、０〜１００が好ましく、０〜２０が更に好ましく、０〜１０が特に好ましい。具体的には、デシル硫酸エステルナトリウム（ｍ＝０）、ドデシル硫酸エステルナトリウム（ｍ＝０）、ポリオキシエチレン（ｍ＝２．５）ラウリルエーテル硫酸ナトリウム、ポリオキシエチレン（ｍ＝４．０）ラウリルエーテル硫酸ナトリウム等が挙げられる。
【００１７】
上記一般式（５）で表される脂肪酸又はその塩（炭素数６〜２２の直鎖又は分岐鎖のアルキル基を有するもの）としては、Ｒ4で示される炭素数６〜２２の直鎖のアルキル基を有する脂肪酸のアルカリ金属塩が好ましく、カプリン酸、ラウリン酸、ミリスチン酸、パルミチン酸、ステアリン酸等の直鎖脂肪酸のナトリウム塩、カリウム塩等が挙げられる。また、低温保管時の安定性の面で、アルキル基に分布があると更に好ましく、具体的には、アルキル基の炭素数が１０〜１６の脂肪酸の混合物であって、炭素数１２のものが全脂肪酸の６０％以上を占めるものを用いることが最も好ましい。
【００１８】
上記一般式（６）で表されるポリオキシアルキレンアルキルエーテルカルボキシレート（炭素数６〜２２の直鎖又は分岐鎖のアルキル基を有するもの）のＲ5で示される炭素数６〜２２の直鎖又は分岐鎖のアルキル基としては、ヘキシル基、オクチル基、デシル基、ドデシル基、テトラデシル基、ヘキサデシル基、オクタデシル基等が挙げられ、特にドデシル基、テトラデシル基が好ましい。また、Ａで示される炭素数１〜４の直鎖又は分岐鎖のアルキレン基としては、炭素数２〜４のものが好ましく、例えばエチレン基、プロピレン基、イソプロピレン基、ブチレン基等が挙げられ、特にエチレン基、イソプロピレン基が好ましい。また、Ｒ6で示される炭素数１〜４の直鎖又は分岐鎖のアルキレン基としては、メチレン基、プロピレン基、イソプロピレン基、ブチレン基等が挙げられ、特にメチレン基、プロピレン基、イソプロピレン基が好ましい。また、Ｍで示されるアルカリ金属原子としては、例えばナトリウム原子、カリウム原子等が挙げられ、特にナトリウム原子が好ましく、アルカリ土類金属原子としては、カルシウム、マグネシウム等が挙げられる。また、ｎは平均付加モル数であり、１〜５０、特に１〜２０の範囲のものが更に好ましい。
【００１９】
また、上記一般式（６）で表される化合物の具体例としては、ヘキシルポリオキシエチレンオキシ酢酸ナトリウム（ｎ＝３．８）、オクチルポリオキシエチレンオキシ酢酸ナトリウム（ｎ＝４．５）、ドデシルポリオキシエチレンオキシ酢酸ナトリウム（ｎ＝１０）、ドデシルポリオキシプロピレンオキシ酢酸ナトリウム（ｎ＝２）、ドデシルポリオキシエチレンオキシプロピオン酸ナトリウム（ｎ＝６．０）等が挙げられ、これらのうち、製造コストの点で特にアルキル（炭素数８〜１０の直鎖又は分岐鎖）ポリオキシエチレン（ｎ＝１〜２０）オキシ酢酸ナトリウムのような混合物として使用することが好ましい。
【００２０】
（Ｉ）成分における上記一般式（２）〜（６）で表される化合物は、単独又は２種以上の混合物として使用できる。
【００２１】
本発明の洗浄剤組成物中における（Ｉ）成分の含有量は、０．１〜５．０質量％が好ましく、０．１〜３．０質量％が更に好ましく、０．１〜１．０質量％が特に好ましい。（Ｉ）成分の含有量が０．１質量％以上で洗浄力が得られ、５．０質量％以下で目的の粘度が得られる。
【００２２】
（ＩＩ）成分において一般式（７）で表される第３級アミンオキサイドの具体例を以下に示す。Ｒ7で示される炭素数８〜２０のアルキル基としてはオクチル基、デシル基、ドデシル基、テトラデシル基、ヘキサデシル基、オクタデシル基等が挙げられ、これらのなかでも特にデシル基、ドデシル基、テトラデシル基及びヘキサデシル基が好ましい。また（ＩＩ）成分は、天然物から誘導された炭素数の異なるアルキル基を有する第３級アミンオキシドの混合物であってもよい。また、Ｒ8及びＲ9で示される炭素数１〜３のアルキル基としては、メチル基、エチル基、プロピル基等が挙げられ、これらのうちメチル基が特に好ましい。
【００２３】
本発明の洗浄剤組成物中における（ＩＩ）成分の含有量は、０．１〜５．０質量％が好ましく、０．１〜３．０質量％が更に好ましく、０．１〜１．０質量％が特に好ましい。（ＩＩ）成分の含有量が０．１質量％以上で洗浄力が得られ、５．０質量％以下で目的の粘度が得られる。
【００２４】
（ｃ）成分の界面活性剤は、合計で、好ましくは０．１〜１０．０質量％、より好ましくは０．３〜５．０質量％、最も好ましくは０．５〜３．０質量％含有される。
【００２５】
本発明の洗浄剤組成物は、Ｂ型粘度計を用いて２０℃、回転数６０ｒｐｍ、６０ｓの条件で測定した粘度が５〜２１０ｍＰａ・ｓの範囲に調製される。組成物の粘度が５ｍＰａ・ｓ以上で付着滞留性を付与でき、２１０ｍＰａ・ｓ以下で緻密で豊富な泡が得られる。
【００２６】
本発明の洗浄剤組成物には、粘度の調整や、トリガー式のスプレーヤーで噴霧した際の起泡力、及び泡の緻密さを更に向上する成分として、（ｄ）ベンゼン環を有するハイドロトロープ剤〔以下、（ｄ）成分と記載する〕を配合することが出来る。（ｄ）成分としては、例えばキシレンスルホン酸、トルエンスルホン酸、クメンスルホン酸、安息香酸、又はこれらのアルカリ金属塩が挙げられ、これらの中でも特にメタキシレンスルホン酸又はそのアルカリ金属塩が好ましい。
【００２７】
本発明の洗浄剤組成物中における（ｄ）成分の含有量は、０．１〜５．０質量％が好ましく、０．１〜３．０質量％が更に好ましく、０．１〜２．０質量％が特に好ましい。（ｄ）成分の含有量が０．１質量％以上で起泡力が得られ、５．０質量％以下で組成物の粘度を目的の範囲内に調整することができる。
【００２８】
本発明の洗浄剤組成物には、高い漂白洗浄力を付与することを目的として、（ｅ）次亜塩素酸アルカリ金属塩〔以下、（ｅ）成分と記載する〕を含有することができる。（ｅ）成分の次亜塩素酸アルカリ金属塩としては、次亜塩素酸ナトリウム、次亜塩素酸カリウム等が挙げられ、特に次亜塩素酸ナトリウムが好ましい。次亜塩素酸ナトリウムは、製造上次亜塩素酸ナトリウムと当モルの塩化ナトリウムが混在するが、塩化ナトリウムが多量に存在する次亜塩素酸ナトリウムは貯蔵安定性を損なう場合があるため、予め塩化ナトリウムを低減化したものを用いることが好ましい。具体的には塩化ナトリウムを次亜塩素酸ナトリウムに対して１０〜６０モル％、好ましくは１０〜４０モル％のものが好適である。このような塩化ナトリウムを低減化した次亜塩素酸ナトリウムは、低食次亜塩素酸ナトリウムとして市販されている。本発明の洗浄剤組成物中における（ｅ）成分の含有量は、０．１〜５．０質量％が好ましく、０．５〜４．０質量％が更に好ましく、１．０〜３．０質量％が特に好ましい。（ｅ）成分の含有量が０．１質量％以上では充分な漂白力が得られ、５．０質量％以下では次亜塩素酸アルカリ金属塩の良好な安定性が得られる。
【００２９】
本発明の洗浄剤組成物には、次亜塩素酸アルカリ金属塩の貯蔵安定性を向上することを目的として、（ｆ）アルカリ金属の水酸化物〔以下、（ｆ）成分と記載する〕を配合することができる。（ｆ）成分のアルカリ金属の水酸化物とは、液体洗浄剤組成物中に存在するアルカリ金属イオンとヒドロキシイオンとの組合せ、すなわち遊離アルカリを示し、他の対イオンとの組合せの場合はカウントされない。例えば別途有機酸を配合する場合は、アルカリ金属水酸化物として配合したとしても、有機酸の対イオンとなるため、アルカリ金属水酸化物としてカウントしない。（ｆ）成分としては、水酸化ナトリウム、水酸化カリウム等が挙げられ、これらのうち水酸化ナトリウムが好ましい。なお、本発明において、組成物中の（ｆ）成分の量はＡＳＴＭ Ｄ ２０２２−８９記載の方法により測定される。すなわち、この方法は、漂白剤中の遊離アルカリ量を水酸化ナトリウム（ＮａＯＨ）として測定するものであり、本発明においてもこの方法で得られた組成物中の遊離アルカリの量を組成物中の（ｆ）成分の量とする。
【００３０】
本発明の洗浄剤組成物における（ｆ）成分の含有量は、０．１〜１．０質量％が好ましく、０．２〜０．８質量％が更に好ましく、０．３〜０．７質量％が特に好ましい。（ｆ）成分の含有量が０．１質量％以上では良好な次亜塩素酸アルカリ金属塩の安定性が得られ、１．０質量％以下では良好な安定性が得られる。
【００３１】
また、本発明の洗浄剤組成物には、増粘助剤として無機塩を含有することができる。具体的には、塩化ナトリウム、炭酸ナトリウム、硫酸ナトリウム、リン酸三ナトリウム等が挙げられ、含有量としては０．１〜５．０質量％が好ましい。無機塩の含有量が０．１質量％以上では良好な粘度が得られ、５．０質量％以下では良好な起泡性が得られる。
【００３２】
本発明の洗浄剤組成物は、その他の任意成分として、香料成分を含有することができる。香料成分としては特に制限されないが、組成物中に次亜塩素酸アルカリ金属塩を含有させた場合、安定性を損なう恐れがあるので、配合成分と含有量には注意を要する。次亜塩素酸塩系に配合可能な香料成分の例としては、特開昭５０−７４５８１号公報及び特開昭６２−２０５２００号公報を参考にすることができ、単体香料及びそれらを組合せた配合香料であってもよい。香料は通常、組成物中に０．００１〜０．５質量％含有される。
【００３３】
本発明の洗浄剤組成物の残部は水であり、保存安定性の上で、微量に存在する金属イオンなどを除去したイオン交換水や蒸留水が好ましい。水の含有量は保存安定性の点から、組成物中８０〜９８質量％、更に９０〜９８質量％が好ましい。また、洗浄剤組成物のｐＨは特に制限されないが、組成物中に次亜塩素酸アルカリ金属塩を含有させた場合、保存安定性及び漂白効果の点から２０℃における組成物のｐＨを１２．５〜１３．５に調整することが好ましい。
【００３４】
本発明の洗浄剤組成物の製品形態としては、造泡機構を備えた吐出容器に充填してなる、容器入り洗浄剤の形態が好ましい。例えば、本発明の洗浄剤組成物を収納する容器本体と、その容器本体内に収納された洗浄剤組成物を吐出させる造泡機構を有する吐出装置と、を備える洗浄剤製品が挙げられる。吐出装置としては、本発明の洗浄剤組成物を泡状にして噴霧することができるトリガー式スプレー、具体的には１回の操作で０．５〜２ｍＬの組成物を吐出し、泡を形成する機構を備えたトリガーが好ましく、さらに具体的には特開２００２−６８２６５号公報の図１及び特開２００４−２６１７９０号公報に示される機構のトリガー式スプレーヤーを使用することが特に好ましい。また、本発明の洗浄剤組成物を使用する際には対象物１ｍ2に対して５〜１５ｇの割合で噴霧することが好ましい。
【実施例】
【００３５】
表１〜４に示す液体洗浄剤組成物を調製し、それらの泡の付着滞留性、泡比容、及び粘度を下記の方法で評価した。結果を表１〜４に示す。尚、試料１−１〜１−１９及び２−１〜２−８は、アルカリ剤として水酸化ナトリウムを用いることで２５℃のｐＨを１２．９に、また試料２−９〜２−１９はｐＨ１３．０に調整した。
【００３６】
＜泡の付着滞留性評価＞
表１〜４に調製した液体洗浄剤組成物を花王（株）製カビとりハイタートリガー（噴霧量１ｇ／回）を用いて、１０ｃｍ×１０ｃｍの陶器タイルが張られた浴室壁のタイル目地に沿って１０ｃｍ離れたところから、横幅１０ｃｍの範囲内に横に４回噴霧し、泡が付着した位置から１分後に泡が垂れ落ちた位置までの面積を算出した。数値が小さい程、付着滞留性が高く良好な効果感が得られる。なお、泡立ちが少なく、付着滞留性の評価を行うことができなかった組成物については表中、「−」として表示した。
【００３７】
＜泡比容の測定＞
表１〜４に調製した液体洗浄剤組成物を花王（株）製カビとりハイタートリガー（噴霧量１ｇ／回）を用いて、２００ｍＬのメスシリンダーに１０回スプレーした時に出来る泡の容量（ｍＬ）を読みとる。また、その時の噴霧量（ｇ）を下２ケタ天秤を用いて測定し、泡比容（ｍＬ／ｇ）＝泡の容量（ｍＬ）／噴霧量（ｇ）の計算式で算出した。数値が大きい程、良好な効果感や視認性が得られる。
【００３８】
＜粘度の測定＞
表１〜４に調製した液体洗浄剤組成物を、Ｂ型粘度計（ＴＯＫＩＭＥＣ製）を使用して、組成物の温度を２０℃、回転数を６０ｒｐｍ、測定時間を６０秒の条件で測定した。
【００３９】
【表１】
2007177094.tif 000002
【００４０】
【表２】
2007177094.tif 000003
【００４１】
【表３】
2007177094.tif 000004
【００４２】
【表４】
2007177094.tif 000005
【００４３】
・化合物１：溶媒中でポリエチレングリコール１５４０（一般式（１）において、ＡＯがエチレンオキシ基、Ｘ1、Ｘ2がともに水素原子、ｎ＝３５のもの、三洋化成工業（株）製）と、上記ポリエチレングリコール１５４０のモル数に対して１．８倍モルの無水硫酸を反応させて、水酸化ナトリウムで中和することで化合物１を得た。〔（ａ）成分と（ｂ）成分のモル比は理論値で（ａ）成分／（ｂ）成分が１／４．５になると推測される。〕。
・デシル硫酸エステルナトリウム：カルコール１０９８（デシルアルコール、花王（株）製）を硫酸化したサンプル、花王（株）製。
・ドデシル硫酸エステルナトリウム：エマール０、花王（株）製。
・カプリン酸塩：ルナック１０−９８のナトリウム塩、花王（株）製。
・ラウリン酸塩：ルナックＬ−９８のナトリウム塩、花王（株）製。
・脂肪酸塩の混合物：ルナックＬ−７０（カプリン酸１０，ラウリン酸７６、ミリスチン酸１４の組成質量比である脂肪酸の混合物）のナトリウム塩、花王（株）製。
・ラウリルベンゼンスルホン酸ナトリウム：ネオペレックスＧ−２５、花王（株）製。
・デシルジメチルアミンオキサイド：ファーミン DM1098（ジメチルデシルアミン、花王（株）製）と過酸化水素水（日本パーオキサイド社製）から合成したサンプル。
・ドデシルジメチルアミンオキサイド：アンヒトール２０Ｎ、花王（株）製。
・テトラデシルジメチルアミンオキサイド：ファーミン DM4098（ジメチルミリスチルアミン、花王（株）製）と過酸化水素水（日本パーオキサイド社製）から合成したサンプル。
・ヘキサデシルジメチルアミンオキサイド：ファーミン DM6098（ジメチルパルミチルアミン、花王（株）製）と過酸化水素水（日本パーオキサイド社製）から合成したサンプル。
・次亜塩素酸ナトリウム：次亜塩素酸ナトリウム、南海化学工業（株）製。
・メタキシレンスルホン酸塩：ナトリウム塩、ＳＸＡ−６０、三菱瓦斯化学（株）製。
・水酸化ナトリウム：３２％液体苛性ソーダ、南海化学工業（株）製。（表中の数値は、遊離した水酸化ナトリウム量を示す。）
・塩化ナトリウム：シグマアルドリッチジャパン（株）製、試薬１級。
【００４４】
表１の試験Ｎｏ．１−４、１−６、１−８、１−１０、表２の試験Ｎｏ．１−１７、１−１９、表３の試験Ｎｏ．２−２、２−３、２−６、２−７、２−１０、及び表４の試験Ｎｏ．２−１３、２−１４、２−１５、２−１６の組成物について、化合物１の代わりに下記化合物２及び化合物３を総配合濃度１％、モル比で化合物２／化合物３が１／１〜１／９９となるように配合比率を変化させて配合した組成物でも同等の効果が得られる。
・化合物２：メタノールにエチレンオキサイドを付加させたものに無水硫酸を反応させて、水酸化ナトリウムで中和したサンプル（エチレンオキシ基が平均で２３モル、方末端が全て硫酸エステル化されている）。
・化合物３：溶媒中でポリエチレングリコール１５４０（一般式（１）において、ＡＯがエチレンオキシ基、Ｘ1、Ｘ2がともに水素原子、ｎ＝３５のもの、三洋化成工業（株）製）と、上記ポリエチレングリコール１５４０のモル数に対して２．０５倍モルの無水硫酸を反応させて、水酸化ナトリウムで中和したサンプル（ポリエチレングリコールの両末端は全て硫酸エステル化されている）。